(57)【要約】【課題】調整が容易でかつ小型で低コストの補助光投影光学ユニットを用いた補助光投影装置を提供すること。【解決手段】自動焦点検出装置を有するカメラ３に装着又は内蔵され、被写体輝度が低い場合、該被写体に対して、焦点検出用パターンを投影する補助光投影装置１において、ハウジング７と、前記ハウジング７に固定された補助光投影光学ユニット５とを有し、前記補助光投影光学ユニット５は、２つ以上の投影光学系を形成するそれぞれの光学部材（４７、４９、５３）を一つの共通部材４１に固定して形成されていること。【選択図】  図２
2004279711.tif 000002
【特許請求の範囲】
【請求項１】
自動焦点検出装置を有するカメラに装着又は内蔵され、被写体輝度が低い場合、該被写体に対して、焦点検出用パターンを投影する補助光投影装置において、
ハウジングと、
前記ハウジングに固定された補助光投影光学ユニットとを有し、
前記補助光投影光学ユニットは、２つ以上の投影光学系を形成するそれぞれの光学部材を一つの共通部材に固定して形成されていることを特徴とする補助光投影装置。
【請求項２】
前記補助光投影光学ユニットは、縦方向の縞状パターンを投影する第１投影光学部材と、横方向の縞状パターンを投影する第２投影光学部材とを有し、
前記第１投影光学部材と前記第２投影光学部材とが前記共通部材に位置調整された後固定されていることを特徴とする請求項１に記載の補助光投影装置。
【請求項３】
前記共通部材は投影光を通過させる第１及び第２の開口部を有し、
前記第１投影光学部材は、前記縞状パターンを有する第１光源と、
前記第１光源が接着され、外周に位置設定用突起を有する第１レンズと、
外周に位置設定用の突起を有する第２レンズとからなり、
前記第２投影光学部材は、前記縞状パターンを有する第２光源と、
前記第２光源が接着され、外周に位置設定用突起を有する第３レンズと、
外周に位置設定用の突起を有する第４レンズとからなり、
前記第１光源と前記第２光源とは前記縞状パターンが略直交するように前記第１レンズと前記第３レンズとが配置され、
前記第１投影光学部材は、第１レンズ、第１の開口部、第２レンズの順で配置され前記共通部材に位置調整された後固定され、
前記第２投影光学部材は、第３レンズ、第２の開口部、第４レンズの順で配置されて前記共通部材に位置調整された後固定されて、前記補助光投影光学ユニットが形成されていることを特徴とする請求項１又は２に記載の補助光投影装置。
【請求項４】
前記共通部材の前記第１及び第２の開口部部分にはそれぞれ第１及び第２の円筒状の筒部が形成されており、
当該第１の筒部の一端側に前記第１レンズの位置調設定用突起を挿入する切欠き部を有し、前記第１レンズの外周部が前記第１の筒部に内嵌されて位置調整された後固定され、
当該第２の筒部の一端側に前記第３レンズの位置設定用突起を挿入する切欠き部を有し、前記第３レンズの外周部が前記第２の筒部に内嵌されて位置調整された後固定されていることを特徴とする請求項３に記載の補助光投影装置。
【請求項５】
前記共通部材の前記第１及び第２の開口部分部分の前記第２及び第４レンズ装着側には、前記第２及び第４レンズの位置設定用突起が挿入される溝部が設けられ、
前記溝部に前記第２及び第４レンズの位置設定用突起を挿入して位置調整した後固定することを特徴とする請求項３に記載の補助光投影装置。
【発明の詳細な説明】
【０００１】
【発明の属する技術分野】
本発明は、自動焦点検出用の補助光投影装置に関する。
【０００２】
【従来技術】
従来、カメラ撮影の自動焦点検出に使用される補助光投影装置では、被写体が暗い場合や、コントラストが無い場合は、スリット状の縞模様パターンを被写体に投射する。そして、そのパターンをカメラが検出して自動焦点検出を行う。近年、自動焦点検出の検出エリアが拡大している。このため、補助光投影装置では、自動焦点検出に用いられる縞模様パターンをさらに分割して投射することで、より広い範囲で自動焦点検出できる焦点検出用パターンが用いられている（例えば、特許文献１参照。）。
【０００３】
このような、補助光投影装置では、焦点検出用のパターンを形成したフィルムパターンを光源であるＬＥＤの前面に配置し、被写体に焦点検出用パターンを投影する方法や、ＬＥＤに形成されたパターンをレンズ等を用いて複数に分割して被写体に投影し、焦点検出用パターンとして用いる方法が使われている（例えば、特許文献２参照。）。
【０００４】
さらに、最近では投射光量確保のため縦方向の焦点検出用パターンと横方向の焦点検出用パターンをそれぞれ別々の投影光学系で投射することが行われ、それぞれの焦点検出用パターンの投影光学系は、構成光学部材の位置や焦点を調整しながら補助光投影装置のハウジングに個別に固定することが行われている。
【０００５】
【特許文献１】
特開平６−３４７６９０号公報（第３図）
【特許文献２】
特開平６−３１３８３９号公報（段落「００１４」、第６図）
【０００６】
【発明が解決しようとする課題】
しかし、従来の縦方向及び横方向の投影光学系の光学部材を補助光投影装置のハウジングにそれぞれ個別に位置調整し固定しているため、投影光学系が大きくなり、組立て工数も増大しコストが高くなると言う問題があった。
【０００７】
本発明は、上記問題に鑑みて行われたものであり、調整が容易でかつ小型で低コストの補助光投影光学ユニットを用いた補助光投影装置を提供することを目的としている。
【０００８】
【課題を解決するための手段】
上記目的を達成するために、本発明では、自動焦点検出装置を有するカメラに装着又は内蔵され、被写体輝度が低い場合、該被写体に対して、焦点検出用パターンを投影する補助光投影装置において、
ハウジングと、
前記ハウジングに固定された補助光投影光学ユニットとを有し、
前記補助光投影光学ユニットは、２つ以上の投影光学系を形成するそれぞれの光学部材を一つの共通部材に固定して形成されていることを特徴とする補助光投影装置を提供する。
【０００９】
また、本発明の補助光投影装置では、前記補助光投影光学ユニットは、縦方向の縞状パターンを投影する第１投影光学部材と、横方向の縞状パターンを投影する第２投影光学部材とを有し、
前記第１投影光学部材と前記第２投影光学部材とが前記共通部材に位置調整された後固定されていることが好ましい。
【００１０】
また、本発明の補助光投影装置では、前記共通部材は投影光を通過させる第１及び第２の開口部を有し、
前記第１投影光学部材は、前記縞状パターンを有する第１光源と、
前記第１光源が接着され、外周に位置設定用突起を有する第１レンズと、
外周に位置設定用の突起を有する第２レンズとからなり、
前記第２投影光学部材は、前記縞状パターンを有する第２光源と、
前記第２光源が接着され、外周に位置設定用突起を有する第３レンズと、
外周に位置設定用の突起を有する第４レンズとからなり、
前記第１光源と前記第２光源とは前記縞状パターンが略直交するように前記第１レンズと前記第３レンズとが配置され、
前記第１投影光学部材は、第１レンズ、第１の開口部、第２レンズの順で配置され前記共通部材に位置調整された後固定され、
前記第２投影光学部材は、第３レンズ、第２の開口部、第４レンズの順で配置されて前記共通部材に位置調整された後固定されて、前記補助光投影光学ユニットが形成されていることが好ましい。
【００１１】
また、本発明の補助光投影装置では、前記共通部材の前記第１及び第２の開口部部分にはそれぞれ第１及び第２の円筒状の筒部が形成されており、
当該第１の筒部の一端側に前記第１レンズの位置調設定用突起を挿入する切欠き部を有し、前記第１レンズの外周部が前記第１の筒部に内嵌されて位置調整された後固定され、
当該第２の筒部の一端側に前記第３レンズの位置設定用突起を挿入する切欠き部を有し、前記第３レンズの外周部が前記第２の筒部に内嵌されて位置調整された後固定されていることが好ましい。
【００１２】
また、本発明の補助光投影装置では、前記共通部材の前記第１及び第２の開口部分部分の前記第２及び第４レンズ装着側には、前記第２及び第４レンズの位置設定用突起が挿入される溝部が設けられ、
前記溝部に前記第２及び第４レンズの位置設定用突起を挿入して位置調整した後固定することが好ましい。
【００１３】
【発明の実施形態】
本発明の実施の形態を図面を参照しつつ説明する。
【００１４】
図１は本発明に係る補助光投影装置を搭載したカメラを示す図である。図２は本発明の第１実施形態に係る補助光投影装置の補助光投影光学ユニットの分解構成図を示す。図３は図２のＡ−Ａ線に沿った補助光投影光学ユニットの組み立て時の断面図を示す。図４は本発明の第２実施形態に係る補助光投影装置の補助光投影光学ユニットの分解構成図を示す。図５は図４のＡ−Ａ線に沿った補助光投影光学ユニットの組み立て時の断面図を示す。
【００１５】
（第１実施形態）
図１は本発明に係る補助光投影装置を搭載したカメラを示す図である。図１において、本発明に係る補助光投影装置１は自動焦点検出調節機構を有する一眼レフカメラ３に取り付けられている。補助光投影装置１内に配置された補助光投影光学ユニット５から射出された投影光はハウジング７に固定されている分割光学素子９を介して複数に分割されて不図示の被写体に投影される。被写体からの反射光は、撮影レンズ１１を介して一眼レフカメラ３に入射し、ハーフミラー１３でファインダー系と焦点検出系とに分割される。ファインダー系１５への光線はピント板１９に結像され、その像をペンタプリズム２１、接眼レンズ２３を介して撮影者が観察できるようになっている。一方、焦点検出系への光線はハーフミラー１３を通過後サブミラー２５で反射され、焦点検出手段２７に入射し、自動焦点調節のための測距に使用される。自動焦点調節は、焦点検出手段２７によって被写体の焦点ずれが検出された後、不図示の制御手段を介して不図示のレンズ駆動装置を制御し、焦点調節が行われ合焦が行われる。合焦点が検出された後、ハーフミラー１３が跳ね上げられ、シャッター２９が動作し、フィルム又はＣＣＤ３１に被写体像が結像される。このようにして、補助光投影装置１を搭載した一眼レフカメラ３が構成されている。
【００１６】
なお、補助光投影装置１は一眼レフカメラ３に内蔵されていても良い。
【００１７】
図２は本発明の第１実施形態に係る補助光投影装置の補助光投影光学ユニットの分解構成図を示し、図３は図２のＡ−Ａ線に沿った補助光投影光学ユニットの組み立て時の断面図を示す。
【００１８】
本実施形態において、図２、図３に示すように、補助光投影光学ユニット５は、共通部材４１に縞状パターン有するＬＥＤ４７が接着された第１及び第３レンズ４９ａ、４９ｂと第２及び第４レンズ５３ａ、５３ｂとが一体的に組み立てられて固定されているものである。
【００１９】
詳述すれば、補助光投影光学ユニット５は、四角形状の共通部材４１を有し、この共通部材４１上には互いの中心軸が平行な２つの開口部４１ａ、４１ｂがカメラ前後方向に設けてある。これら開口部４１ａ、４１ｂに筒状部材４５ａ、４５ｂとが内嵌されている。筒状部４５ａには直径方向でかつ水平方向に一対の切欠き部４３ａ―１、４３ａ−２が形成され、筒状部４５ｂには直径方向で垂直方向に一対の切欠き部４３ｂ−１、４３ｂ−２が形成されている。
【００２０】
筒状部材４５ａ、４５ｂには、縞状のパターンを発光する光源であるＬＥＤ４７を片面に接着し、外周部に位置設定用突起を有する第１レンズ４９ａ、第３レンズ４９ｂがその外周部を筒状部材にそれぞれ内嵌して、それぞれの位置設定用突起を切欠き部４３ａ、４３ｂにそれぞれ挿入して所定位置に調整されて固定されている。
【００２１】
切欠き部４３ａと４３ｂとは互いに略直交して形成されているため、第１レンズ４９ａから投影される縞状パターン５１ａは縦方向（図中、縞がＹ軸に平行な方向）であり、第３レンズ４９ｂから投影される縞状パターン５１ｂは横方向（図中、縞がＸ軸に平行な方向）となる。
【００２２】
共通部材４１のカメラ前方側の面には、位置設定用突起を有する第２レンズ５３ａ、第４レンズ５３ｂがそれぞれ開口部４１ａ、４１ｂに内嵌して、共通部材４１に所定位置に調整されて固定されている。
【００２３】
このようにして、縦方向の縞状パターンを投影する個々の光学部材と横方向の縞状パターンを投影する個々の光学部材とが共通部材４１に一体的に組み立てられた補助光投影光学ユニット５が形成される。
【００２４】
この補助光投影光学ユニット５は図１に示す補助光投影装置１のハウジング７に固定されて補助光投影装置が構成されている。
【００２５】
以下、補助光投影光学ユニット５の組み立て、調整に関し詳説する。
【００２６】
共通部材４１に形成された筒状部材４５ａの切欠き部４３ａ−１、４３ａ―２は、第１レンズ４９ａの位置設定用突起４９ａ−１、４９ａ―２の幅に比べて僅かに広く形成されている。第１レンズ４９ａの外周部を開口部４１ａに内嵌すると共に、それぞれの位置設定用突起４９ａ―１、４９ａ−２を切欠き部４３ａ−１、４３ａ−２にそれぞれ挿入する。この後、共通部材４１から所定距離の位置に設けられたスクリーン５４にＬＥＤから縞状パターン５１ａを投影する。筒状部材４５ａに内嵌された第１レンズ４９ａを軸方向（図中Ｚ軸方向）に前後移動させることによりスクリーン５４上に投影された縞状パターン５１ａの合焦を調節する。また、第１レンズ４９ａを光軸に対して垂直な平面（ＸＹ平面）内で回転して（図中、θ方向）、縞状パターン５１ａを所定の回転方向に調節する。縞状パターン５１ａの合焦と回転方向とをそれぞれ調節した後、第１レンズ４９ａは筒状部材４５ａに接着剤で固定される。
【００２７】
また、共通部材４１に形成された筒状部材４５ｂの切欠き部４３ｂ−１、４３ｂ−２は、第３レンズ４９ｂの位置設定用突起４９ｂ−１、４９ｂ―２の幅に比べて僅かに広く形成されている。第３レンズ４９ｂの外周部を開口部４１ｂに内嵌すると共に、それぞれの位置設定用突起４９ｂ―１、４９ｂ−２を切欠き部４３ｂ−１、４３ｂ−２にそれぞれ挿入する。この後、共通部材４１から所定距離の位置に設けられたスクリーン５４にＬＥＤから縞状パターン５１ｂを投影する。筒状部材４５ｂに内嵌された第３レンズ４９ｂを軸方向（図中Ｚ軸方向）に前後移動させることによりスクリーン５４上に投影された縞状パターン５１ｂの合焦を調節する。また、第３レンズ４９ｂを光軸に対して垂直な平面（ＸＹ平面）内で回転して（図中、θ方向）、縞状パターン５１ｂの回転方向を所定の角度に調節する。縞状パターン５１ｂの合焦と回転方向とをそれぞれ調節した後、第３レンズ４９ｂは筒状部材４５ｂに接着剤で固定される。
【００２８】
次に、第２レンズ５３ａを共通部材４１のカメラ前方側の面の開口部４１ａにゆるく嵌合させ、第２レンズ５３ａをＸ軸及びＹ軸方向に移動させ、縞状パターン５１ａを所定の位置に調整する。このとき、第２レンズ５３ａに形成されている位置設定用突起５３ａ―１及び５３ａ−２が共通部材４１のカメラ前方側の面に接触しているので、第２レンズ５３ａの移動が容易に行え、縞状パターン５１ａの位置合わせが簡単に行える。この後、第２レンズ５３ａを共通部材４１に接着剤で固定する。
【００２９】
また、第４レンズ５３ｂを共通部材４１のカメラ前方側の面の開口部４１ｂにゆるく嵌合させ、第４レンズ５３ｂをＸ軸及びＹ軸方向に移動させ、縞状パターン５１ｂを所定の位置に調整する。このとき、第２レンズ５３ｂに形成されている位置設定用突起５３ｂ―１及び５３ｂ−２が共通部材４１のカメラ前方側の面に接触しているので、第２レンズ５３ｂの移動が容易に行え、縞状パターン５１ｂの位置合わせが簡単に行える。この後、第４レンズ５３ｂを共通部材４１に接着剤で固定する。
【００３０】
このようにして、縦方向の縞状パターン５１ａを投影する個々の光学部材と横方向の縞状パターン５１ｂを投影する個々の光学部材とを共通部材４１に一体的に組み立てられた補助光投影光学ユニット５が完成する。
【００３１】
なお、上述の説明では、組立ての際に、第１から第４レンズ４９ａ、４９ｂ、５３ａ、５３ｂのそれぞれを所定の位置に調整した後、共通部材４１および筒状部４５ａ、４５ｂに固定するようにしているが、第２レンズ５３ａと第４レンズ５３ｂとを、共通部材４１の開口部４１ａ、４１ｂの中心位置と第２レンズ５３ａ、第４レンズ５３ｂの中心位置とをほぼ一致させ前もって固定して準備しておき、その後、第１レンズ４９ａ、第３レンズ４９ｂをそれぞれＸ、Ｙ、Ｚ、及びθ方向に調整して固定するようにしても良い。このようにすれば、第２レンズと第４レンズが共通部材４１に前もって組み立て準備されているので、その後の補助光投影光学ユニット５の組み立てが容易となり組み立て工数の削減が可能となる。このようなことは、第１レンズ４９ａ、第３レンズ４９ｂを保持および固定する筒状部材４５ａ、４５ｂの内径を第１レンズ４９ａ、第３レンズ４９ｂの外径より僅かに大きく形成しておくこと、および切り欠き部４３ａ−１、４３ａ−２、４３ｂ−１、４３ｂ−２の幅を、位置設定用突起４９ａ−１、４９ａ−２、４９ｂ−１、４９ｂ−２より僅かに広く形成しておくことによって実現可能となる。
【００３２】
本第１実施形態では、角度調整用の切欠き部４３ａ、４３ｂを有する筒状部材４５ａ、４５ｂが形成された共通部材４１にそれぞれの光学部材を挿入あるいは内嵌して組み立て、調整するので、補助光投影光学ユニットを小型化すると同時に組み立て調整工数を削減することができる。
【００３３】
また、組み立て、調整済みの補助光投影光学ユニットを補助光投影装置のハウジングに固定するのみで補助光投影光学ユニットの組み込みが完成するので、これまでのような煩雑な組み立て工程を解消することができる。
【００３４】
また、種々のモデルの補助光投影装置に補助光投影光学ユニットを共用して使用することも可能となる。
【００３５】
（第２実施形態）
図４は本発明の第２実施形態に係る補助光投影装置の補助光投影光学ユニットの分解構成図を示し、図５は図４のＡ−Ａ線に沿った補助光投影光学ユニットの組み立て時の断面図を示す。
【００３６】
第２実施形態が第１実施形態と異なるところは、共通部材の形状にある。第１実施形態と同様の構成には同じ符号を付し説明を省略する。
【００３７】
本実施形態において、図４、図５に示すように、補助光投影光学ユニット５は、共通部材１４１に縞状パターン有するＬＥＤ４７が接着された第１及び第３レンズ４９ａ、４９ｂと第２及び第４レンズ５３ａ、５３ｂとが一体的に組み立てられて固定されているものである。
【００３８】
詳述すれば、補助光投影ユニット５は、四角形状の共通部材１４１を有し、この共通部材１４１には互いの中心軸が平行な２つの開口部４１ａ、４１ｂがカメラ前後方向に設けてある。共通部材１４１のカメラ後方側の面は平面であり、カメラ前方側の面には、第２レンズ５３ａの位置設定用突起５３ａ―１、５３ａ−２がそれぞれ挿入される溝部６１ａ−１、６１ａ−２が、また第４レンズ５３ｂの位置設定用突起５３ｂ−１、５３ｂ−２がそれぞれ挿入される溝部６１ｂ−１、６１ｂ−２が形成されている。
【００３９】
カメラ後方側の面には、縞状のパターンを発光する光源であるＬＥＤ４７を片面に接着し、外周部に位置設定用突起を有する第１レンズ４９ａ、第３レンズ４９ｂが開口部４１ａ、４１ｂにそれぞれ内嵌して、それぞれの位置設定用突起を用いて所定位置に調整されて共通部材１４１に固定されている。
【００４０】
第１レンズ４９ａと第３レンズ４９ｂとは、それぞれのレンズに接着されているＬＥＤの縞状のパターンが互いに略直交するように共通部材１４１に固定されているため、第１レンズ４９ａから投影される縞状パターン５１ａは縦方向（図中縞がＹ軸に平行な方向）であり、第３レンズ４９ｂから投影される縞状パターン５１ｂは横方向（図中縞がＸ軸に平行な方向）となる。
【００４１】
また、カメラ前方側の面には、開口部４１ａ、４１ｂにそれぞれ内嵌して、かつ溝部６１ａ−１、６１ａ−２に第２レンズ５３ａの位置設定用突起５３ａ−１、５３ａ−２を、溝部６１ｂ−１、６１ｂ−２に第４レンズ５３ｂの位置設定用突起５３ｂ−１、５３ｂ−２をそれぞれ挿入した後、第２レンズ５３ａ、第４レンズ５３ｂがそれぞれ所定位置に調整されて固定されている。
【００４２】
このようにして縦方向の縞状パターン５１ａを投影する個々の光学部材と横方向の縞状パターン５１ｂを投影する個々の光学部材とを共通部材１４１に一体的に組み立てられた補助光投影光学ユニット５が完成する。
【００４３】
この補助光投影光学ユニット５は図１に示す補助光投影装置１のハウジング７に固定されて補助光投影装置が構成されている。
【００４４】
以下、補助光投影光学ユニット５の組み立て、調整に関し詳説する。
【００４５】
共通部材１４１のカメラ後方側の面の開口部４１ａに第１レンズ４９ａを内嵌する。このとき、位置設定用突起４９ａ−１、４９ａ−２は共通部材１４１のカメラ後方側の面に接触してストッパの役目をする。この後、共通部材１４１から所定距離の位置に設けられたスクリーン５４にＬＥＤから縞状パターン５１ａを投影する。開口部４１ａに内嵌された第１レンズ４９ａをＸＹ軸方向及びθ方向に移動及び回転することによりスクリーン５４上に投影された縞状パターン５１ａをＸＹ方向及び回転方向に関して所定の位置に調節する。縞状パターン５１ａのＸＹ方向と回転方向とをそれぞれ調節した後、第１レンズ４９ａは共通部材１４１に接着剤で固定される。
【００４６】
また、共通部材１４１のカメラ後方側の面の開口部４１ｂに第３レンズ４９ｂを内嵌する。このとき、位置設定用突起４９ｂ−１、４９ｂ−２は共通部材１４１のカメラ後方側の面に接触してストッパの役目をする。この後、共通部材１４１から所定距離の位置に設けられたスクリーン５４にＬＥＤから縞状パターン５１ｂを投影する。開口部４１ｂに内嵌された第３レンズ４９ｂをＸＹ軸方向及びθ方向に移動及び回転することによりスクリーン５４上に投影された縞状パターン５１ｂをＸＹ方向及び回転方向に関して所定の位置に調節する。縞状パターン５１ｂのＸＹ方向と回転方向とをそれぞれ調節した後、第３レンズ４９ｂは共通部材１４１に接着剤で固定される。
【００４７】
次に、共通部材１４１に第２レンズ５３ａと第４レンズ５３ｂを組み立てる。第２レンズ５３ａを共通部材１４１のカメラ前方側の面の開口部４１ａにゆるく嵌合させると共に、第２レンズ５３ａの位置設定用突起５３ａ−１、５３ａ−２を共通部材１４１の溝部６１ａ−１、６１ａ−２にそれぞれ挿入する。第２レンズ５３ａをＺ軸方向に移動させ、縞状パターン５１ａの合焦を調整する。このとき、第２レンズ５３ａに形成されている位置設定用突起部５３ａ―１及び５３ａ−２が共通部材１４１の溝部６１ａ−１、６１ａ―２にそれぞれ挿入されているため、第２レンズ５３ａのＺ軸方向への移動が容易に行え、縞状パターンの焦点合わせが簡単に行える。この後、第２レンズ５３ａを共通部材１４１に接着剤で固定する。
【００４８】
また、第４レンズ５３ｂを共通部材１４１のカメラ前方側の面の開口部４１ｂにゆるく嵌合させると共に、第２レンズ５３ｂの位置設定用突起５３ｂ−１、５３ｂ−２を共通部材１４１の溝部６１ｂ−１、６１ｂ−２にそれぞれ挿入する。第２レンズ５３ｂをＺ軸方向に移動させ、縞状パターン５１ｂの合焦を調整する。このとき、第２レンズ５３ｂに形成されている位置設定用突起部５３ｂ―１及び５３ｂ―２が共通部材１４１の溝部６１ｂ−１、６１ｂ−２にそれぞれ挿入されているため、第２レンズ５３ｂのＺ軸方向への移動が容易に行え、縞状パターンの焦点合わせが簡単に行える。この後、第２レンズ５３ｂを共通部材１４１に接着剤で固定する。
【００４９】
このようにして、縦方向の縞状パターン５１ａを投影する個々の光学部材と横方向の縞状パターン５１ｂを投影する個々の光学部材とを共通部材１４１に一体的に組み立てられた補助光投影光学ユニット５が完成する。
【００５０】
本第２実施形態では、縞状パターン５１ａ、５１ｂのＸＹ軸方向及び回転方向を共通部材１４１のカメラ後方側の面の第１レンズ４９ａ及び第３レンズ４９ｂで位置調整した後第１レンズ４９ａ及び第３レンズ４９ｂを固定し、縞状パターン５１ａ、５１ｂの合焦を共通部材１４１のカメラ前方側の面の第２レンズ５３ａ及び第４レンズ５３ｂで調整した後第２レンズ５３ａ及び第４レンズ５３ｂを固定することで、補助光投影光学ユニット５を小型化すると同時に組み立て調整工数を削減することができる。
【００５１】
また、組み立て、調整済みの補助光投影光学ユニットを補助光投影装置のハウジングに固定するのみで補助光投影光学ユニットの組み込みが完成するので、これまでの煩雑な組み立てを解消することができる。
【００５２】
また、種々のモデルの補助光投影装置に補助光投影光学ユニットを共用して使用することも可能となる。
【００５３】
なお、全ての実施形態において、第１乃至第４レンズは、成形レンズを用いても良い。また、第１乃至第４レンズの固定には接着剤以外の固定方法、例えばネジ等を用いて固定しても良い。
【００５４】
なお、上述の実施の形態は例に過ぎず、上述の構成や形状に限定されるものではなく、本発明の範囲内において適宜修正、変更が可能である。
【００５５】
【発明の効果】
上述のように、本発明では、調整が容易でかつ小型で低コストの補助光投影光学ユニットを用いた補助光投影装置を提供することができる。
【図面の簡単な説明】
【図１】本発明に係る補助光投影装置を搭載したカメラを示す図である。
【図２】本発明の第１実施形態に係る補助光投影装置の補助光投影光学ユニットの分解構成図を示す。
【図３】図２のＡ−Ａ線に沿った補助光投影光学ユニットの組み立て時の断面図を示す。
【図４】本発明の第２実施形態に係る補助光投影装置の補助光投影光学ユニットの分解構成図を示す。
【図５】図４のＡ−Ａ線に沿った補助光投影光学ユニットの組み立て時の断面図を示す。
【符号の説明】
１        補助光投影装置
３        一眼レフカメラ
５        補助光投影光学ユニット
７        ハウジング
９        分割光学素子
１１      撮影レンズ
１３      ハーフミラー
１５      ファインダー系
１７      焦点検出系
１９      ピント板
２１      ペンタプリズム
２３      接眼レンズ
２５      サブミラー
２７      焦点検出手段
２９      シャッター
３１      フィルム（ＣＣＤ）
４１、１４１  共通部材
４３      切欠き部
４５      筒状部材
４７      ＬＥＤ
４９ａ    第１レンズ
４９ｂ    第３レンズ
５１      縞状パターン
５３ａ    第２レンズ
５３ｂ    第４レンズ
６１      溝部
【図１】
2004279711.tif 000003
【図２】
2004279711.tif 000004
【図３】
2004279711.tif 000005
【図４】
2004279711.tif 000006
【図５】
2004279711.tif 000007